(57)【要約】      （修正有）【課題】傘の中棒側から強風を受けた際にも、傘の骨が折れにくい傘を提供する。【解決手段】中棒と、持ち手１０２と、第１の下ろくろ１０４と、第２の下ろくろ１０６と、第１の上ろくろ１０８と、第２の上ろくろ１１０と、石突１１２と、を有し、前記中棒の一方の端部側から他方の端部側へと、前記持ち手１０２、前記第１の下ろくろ１０４と、前記第２の下ろくろ１０６と、前記第１の上ろくろ１０８と、前記第２の上ろくろ１１０と、前記石突１１２とが配置され、前記第１の上ろくろ１０８は、前記中棒に固定され、前記第１の下ろくろ１０４、前記第２の下ろくろ１０６及び前記第２の上ろくろ１１０は、前記中棒に対して摺動可能に設けられ、前記第２の下ろくろ１０６と前記第１の上ろくろ１０８との間に第１の圧縮スプリング１３６が配置され、前記第２の上ろくろ１１０と前記石突１１２との間に第２の圧縮スプリング１３８が配置されている。【選択図】図１
2020081131.tif 000002
【特許請求の範囲】
【請求項１】
中棒と、持ち手と、第１の下ろくろと、第２の下ろくろと、第１の上ろくろと、第２の上ろくろと、石突と、を有し、
前記中棒の一方の端部側から他方の端部側へと、前記持ち手、前記第１の下ろくろと、前記第２の下ろくろと、前記第１の上ろくろと、前記第２の上ろくろと、前記石突とが配置され、
前記第１の上ろくろは、前記中棒に固定され、
前記第１の下ろくろ、前記第２の下ろくろ及び前記第２の上ろくろは、前記中棒に対して摺動可能に設けられ、
前記第２の下ろくろと前記第１の上ろくろとの間に第１の圧縮スプリングが配置され、
前記第２の上ろくろと前記石突との間に第２の圧縮スプリングが配置されている、
傘。
【請求項２】
前記第１の下ろくろには、第１の受骨が接続され、
前記第１の上ろくろには、第１の親骨が接続され、
前記第１の受骨は、第１のダボを介して前記第１の親骨に接続され、
前記第１の親骨には、前記第１のダボより下方側に第１の傘布が張られている、
請求項１に記載の傘。
【請求項３】
前記第２の下ろくろには、第２の受骨が接続され、
前記第２の上ろくろには、第２の親骨が接続され、
前記第２の受骨は、第２のダボを介して前記第２の親骨に接続され、
前記第２の親骨の前面に、第２の傘布が張られている、
請求項１又は２に記載の傘。
【発明の詳細な説明】
【技術分野】
【０００１】
本発明は、傘、特に強風時でも壊れにくい傘に関する。
【背景技術】
【０００２】
例えば、風が強い日に傘を差していると、突風により傘の骨が曲がったり折れたりして使用不能になることがあった。
【０００３】
そのため、傘の骨を折れにくい構造にする傘の開発が進められている（例えば特許文献１）。
【先行技術文献】
【特許文献】
【０００４】
【特許文献１】特開２０１７−０２３２１１号公報
【発明の概要】
【発明が解決しようとする課題】
【０００５】
しかしながら、現行品の傘は、特に傘の中棒側から入ってきた風圧を、カバーが上手く逃がすことができず、親骨や受骨の負担が大きくなり、結果傘が破損するという問題点を有していた。
【０００６】
本発明は、上記の点に鑑み提案されたものであり、その目的として、一つの側面では、傘の中棒側から強風を受けた際にも、傘の骨が折れにくい傘を提供することにある。
【課題を解決するための手段】
【０００７】
本発明の一態様に係る傘は、中棒と、持ち手と、第１の下ろくろと、第２の下ろくろと、第１の上ろくろと、第２の上ろくろと、石突と、を有し、前記中棒の一方の端部側から他方の端部側へと、前記持ち手、前記第１の下ろくろと、前記第２の下ろくろと、前記第１の上ろくろと、前記第２の上ろくろと、前記石突とが配置され、前記第１の上ろくろは、前記中棒に固定され、前記第１の下ろくろ、前記第２の下ろくろ及び前記第２の上ろくろは、前記中棒に対して摺動可能に設けられ、前記第２の下ろくろと前記第１の上ろくろとの間に第１の圧縮スプリングが配置され、前記第２の上ろくろと前記石突との間に第２の圧縮スプリングが配置されている。
【発明の効果】
【０００８】
本発明の実施形態によれば、一つの側面では、傘の中棒側から強風を受けた際にも、傘の骨が折れにくい傘を提供することができる。
【図面の簡単な説明】
【０００９】
【図１】本実施形態に係る傘の概略正面図である。
【図２】本実施形態に係る傘の主要部の通常時の状態を説明するための概略正面図である。
【図３】本実施形態に係る傘の主要部の強風受け時の状態を説明するための概略正面図である。
【発明を実施するための形態】
【００１０】
以下に、図を参照して本実施形態に係る傘について詳細に説明する。図１に、本実施形態に係る傘の概略正面図を示す。なお、本明細書においては、傘の下方とは、傘を差した場合に地面側を、傘の上方とは傘を差した場合の空側を意味する。
【００１１】
（傘の概略構成）
図１に示すように、本実施形態に係る傘１００は、中棒を有する。中棒は、その下方端部側から順に、ハンドル１０２（持ち手）と、第１の下ろくろ１０４と、第２の下ろくろ１０６と、第１の上ろくろ１０８と、第２の上ろくろ１１０と、が設けられ、中骨の上方端部には、石突１１２が設けられている。
【００１２】
第１の下ろくろ１０４、第２の下ろくろ１０６及び第２の上ろくろ１１０は、通常、中棒に対して摺動自在に嵌合された筒状構造を有しており、各々、中棒が挿嵌されている。
【００１３】
一方、第１の上ろくろ１０８は、中棒が挿嵌される筒状構造を有しているが、通常、中棒に対して固定されている。
【００１４】
第１の下ろくろ１０４は、第１の受骨１１４が接続されており、また、第１の上ろくろ１０８は、第１の親骨１１６が接続されている。第１の受骨１１４は、第１の親骨１１６上に設けられた第１のダボ１２２（ジョイント）を介して第１の親骨１１６に接続されている。即ち、第１の下ろくろ１０４は、第１の親骨１１６と第１の受骨１１４からなるリンク機構を介して接続されており、第１の下ろくろ１０４と第１の上ろくろ１０８とは、所定の自由度の範囲内だけ間隔が変化できる。
【００１５】
また、第２の下ろくろ１０６は、第２の受骨１１８が接続されており、また、第２の上ろくろ１１０は、第２の親骨１２０が接続されている。第２の受骨１１８は、第２の親骨１２０上に設けられた第２のダボ（ジョイント）を介して第２の親骨１２０に接続されている。即ち、第２の下ろくろ１０６は、第２の親骨１２０と第２の受骨１１８からなるリンク機構を介して接続されており、第２の下ろくろ１０６と第２の上ろくろ１１０とは、所定の自由度の範囲内だけ間隔が変化できる。
【００１６】
第１の親骨１１６は、第１のダボ１２２から下方側に第１の傘布１２６が張られており、第１の親骨１１６の下方側端部には、露先１３０が設けられている。そして、第２の親骨１２０には、全面に亘って第２の傘布１２８が張られている。通常、第２の傘布が張られている第２の親骨１２０の長さは、第１の上ろくろ１０８と第１のダボ１２２までの長さよりも長く設計されており、これにより、第１の傘布及び第２の傘布が、傘１００の防雨面全域を覆うこととなる。
【００１７】
また、第２の下ろくろ１０６と第１の上ろくろ１０８との間には、第１の圧縮スプリング１３６が配置され、第２の上ろくろ１１０と石突１１２との間には、第２の圧縮スプリング１３８が配置されている。なお、第２圧縮スプリング１３８は、第２の上ろくろ１１０と石突１１２とを接続することが好ましい。第２の上ろくろ１１０と石突１１２とを接続するように第２圧縮スプリング１３８を配置することで、本実施形態に係る傘１００を開いた際に、第２の上ろくろ１１０が、中棒を軸として回転することを抑制することができる。また、本実施形態に係る傘１００全体の部品数を少なくすることもできる。
【００１８】
また、中棒には通常、傘１００を全閉状態及び全開状態を維持するためのストッパーとして、下方側から、下はじき１３２及び上はじき１３４が設けられている。
【００１９】
（傘１００の使用状態の説明）
次に、図２及び図３を参照して、本実施形態に係る傘１００を使用する方法について、説明する。図２に、本実施形態に係る傘１００の主要部の通常時の状態を説明するための概略正面図を示す。また、図３に、本実施形態に係る傘１００の主要部の強風受け時の状態を説明するための概略正面図を示す。なお、通常時とは、傘１００を使用している際に、無風状態又は実質的に無風の微風状態等を意味する。
【００２０】
先ず、本実施形態に係る傘１００を全閉状態から使用する場合、使用者は、第１の下ろくろ１０４を第２の下ろくろ１０６ごと押し上げることで、第１の傘布及び第２の傘布が押し広げられる。そして、第１の下ろくろ１０４及び第２の下ろくろ１０６は、上はじき１３４に係止され、本実施形態に係る傘１００は、図２に示されるような、通常時の前開状態となる。この際、第１の圧縮スプリング１３６の弾性力により第１の下ろくろ１０４の上面と、第２の下ろくろ１０６の下面とは接するように、第２の圧縮スプリング１３８の弾性力により第１の上ろくろ１０８の上面と、第２の上ろくろ１１０の下面とは接するように、位置される。
【００２１】
ここで、図２に示す通常時の傘１００に対して、中棒方向から強風を受けた場合について図３を参照して説明する。本実施形態に係る傘１００は、第１の下ろくろ１０４、第１の上ろくろ１０８、第１の親骨１１６、第１の受骨１１４を含む傘１００構造体と、第２の下ろくろ１０６、第２の上ろくろ１１０、第２の親骨１２０、第２の受骨１１８を含む傘１００構造体とで、２分割されている。そして、前述したように、第１の上ろくろ１０８は、中棒に対して固定されている。そのため、本実施形態に係る傘１００が中棒方向から強風を受けると、第２の傘布が風から受ける風圧により、風を逃がすために第１の圧縮スプリング１３６及び第２の圧縮スプリング１３８が縮む。これにより、第１の傘布１２６と第２の傘布１２８との間に間隙ができ、風圧を図３に示す矢印方向に逃がすことができる。これにより、第１の親骨１１６、第２の親骨１２０、第１の受骨１１４及び第２の受骨１１８の負担を減らすことができ、傘１００本体が壊れにくいという利点を有する。そして、風が止んだ場合には、第１の圧縮スプリング１３６及び第２の圧縮スプリング１３８の弾性力及び重力により、元の状態に戻る力が働き、図２に示した通常時の状態へと戻る。
【００２２】
以上、本実施形態に係る傘は、上述した構造を採用することにより、中骨側から強風を受けた場合であっても、第１の傘布と第２の傘布との間に間隙ができ、風圧を逃がすことができるため、傘布が風圧をまともに受けずに済み、傘の破壊等の事態を回避することができる。
【符号の説明】
【００２３】
１００  傘
１０２  ハンドル
１０４  第１の下ろくろ
１０６  第２の下ろくろ
１０８  第１の上ろくろ
１１０  第２の上ろくろ
１１２  石突
１１４  第１の受骨
１１６  第１の親骨
１１８  第２の受骨
１２０  第２の親骨
１２２  第１のダボ
１２４  第２のダボ
１２６  第１の傘布
１２８  第２の傘布
１３０  露先
１３２  下はじき
１３４  上はじき
１３６  第１の圧縮スプリング
１３８  第２の圧縮スプリング
【図１】
2020081131.tif 000003
【図２】
2020081131.tif 000004
【図３】
2020081131.tif 000005
【手続補正書】
【提出日】平成31年3月6日(2019.3.6)
【手続補正１】
【補正対象書類名】特許請求の範囲
【補正対象項目名】全文
【補正方法】変更
【補正の内容】
【特許請求の範囲】
【請求項１】
中棒と、持ち手と、第１の下ろくろと、第２の下ろくろと、第１の上ろくろと、第２の上ろくろと、石突と、を有し、
前記中棒の一方の端部側から他方の端部側へと、前記持ち手、前記第１の下ろくろと、前記第２の下ろくろと、前記第１の上ろくろと、前記第２の上ろくろと、前記石突とが配置され、
前記第１の上ろくろは、前記中棒に固定され、
前記第１の下ろくろ、前記第２の下ろくろ及び前記第２の上ろくろは、前記中棒に対して摺動可能に設けられ、
前記第２の下ろくろと前記第１の上ろくろとの間に第１の圧縮スプリングが配置され、
前記第２の上ろくろと前記石突との間に第２の圧縮スプリングが配置されており、
前記第１の下ろくろには、第１の受骨が接続され、
前記第１の上ろくろには、第１の親骨が接続され、
前記第１の受骨は、第１のダボを介して前記第１の親骨に接続され、
前記第１の親骨には、前記第１のダボより下方側に第１の傘布が張られており、
前記第２の下ろくろには、第２の受骨が接続され、
前記第２の上ろくろには、第２の親骨が接続され、
前記第２の受骨は、第２のダボを介して前記第２の親骨に接続され、
前記第２の親骨の全面に、第２の傘布が張られており、
前記第２の傘布が前記中棒方向から風を受けた場合に、前記第１の圧縮スプリング１３６及び前記第２の圧縮スプリング１３８が縮み、前記第１の傘布と前記第２の傘布との間に間隙ができる、
傘。